(57)【特許請求の範囲】
【請求項１】
柔らかい毛の生地で覆われたポリオレフィンコアで構成されるペイントローラの製造方法において、
同じ長さのポリオレフィンで形成された複数の管本体（１１）を、ペイントローラを製造する機械（３０）によって、柔らかい毛の生地で覆うものであり、
この機械（３０）は、一端側から他端側にむけて、動作機構（３）、熱源（４）、生地を巻くための機構（５）、作動機構（１）の順にこれらの各機構を備えると共に、管本体（１１）は、マンドレルによって支持することなく、前記管本体（１１）の外周に生地のカバーがらせん状に巻かれるのであり、
前記機械（３０）の一端部には前記動作機構（３）が配されて前記管本体（１１）についてその中心線に沿った長さ方向の移動と回転運動を生じさせることにより当該管本体（１１）は回転しながら進む運動を行ない、
前記管本体（１１）の上記運動中に、前記機械（３０）は、固定された熱源（４）によって、前記マンドレルによって支持されていない前記管本体（１１）の表面を柔らかくするとともに、前記生地を巻くための機構（５）により、その外側が柔らかくなった前記管本体（１１）に生地のカバーをらせん状に巻くようにし、
前記管本体（１１）は、前記機械（３０）の動作機構（３）が配置される端と反対側の端に配される前記作動機構（１）によって次々と動かされ、
前記機械（３０）は、斜めにカバーされた生地を、切断機構（２）により、隣接する２つの管本体の間で切断する
ことを特徴とするペイントローラの製造方法。
【請求項２】
前記機械（３０）が複数の管本体（１１）を外側で支持する手段を含み、
前記作動機構（１）は、前記管本体（１１）の長さの終りの部分が前記動作機構（３）によって作動される前にその作動を始めるものであり、
前記管本体（１１）は、前記作動機構（１）によって隣接する２つの管本体の間に空間を置いた状態で次々と動かされるものであることを特徴とする請求項１に記載のペイントローラの製造方法。
【請求項３】
前記管本体（１１）は、当該管本体（１１）が通って動く２つの傾斜した要素によってまたは空洞の円筒として構成されるサポート（６）を用いていくつかの位置で保持され、
前記作動機構（１）は、つめ（１０）を含んでそれらが前記管本体（１１）の外側にはまること、またはつめ（１２）を含んでそれらが前記管本体（１１）の内側にはまることが可能であり、且つ、前記管本体（１１）が前記動作装置（３）と接触しなくなる前に、前記作動機構（１）は既に前記管本体（１１）の開始端に接触し、前記つめ（１０）（１２）はそれらの軸の周りに回転して前記管本体（１１）のその中心線に沿って回転しながら進む運動を行うことにより、前記管本体（１１）を回転させながら引っ張るものであることを特徴とする請求項１又は２記載のペイントローラの製造方法。
【請求項４】
前記作動機構（１）は、
つめ（１０）を含んでそれらが前記管の外側にはまること、またはつめ（１２）を含んでそれらが前記管本体（１１）の内側にはまることが可能であり、前記つめはそれらの軸の周りに回転するものである機構、
自身の軸に関して回転する円周本体（１４）と、その内側に配される作動ホイール（１３）とによって構成され、当該作動ホイール（１３）は前記管本体（１１）の外表面と接触して回転するものである機構、
前記管本体（１１）の外表面と接触し、前記管本体（１１）の中心線に対して適切に傾いたホイール（１３′）および（１４′）を含む機構、
からなる群から選択された１種の機構により構成され、
当該機構により、前記管本体（１１）は、その中心線に沿って回転しながら進む運動をなすことを特徴とする請求項１に記載のペイントローラの製造方法。
【請求項５】
前記動作機構（３）は、
つめ（１０）を含んでそれらが前記管の外側にはまること、またはつめ（１２）を含んでそれらが前記管本体（１１）の内側にはまることが可能であり、前記つめはそれらの軸の周りに回転するものである機構、
自身の軸に関して回転する円周本体（１４）と、その内側に配される作動ホイール（１３）とによって構成され、当該作動ホイール（１３）は前記管本体（１１）の外表面と接触して回転するものである機構、
前記管本体（１１）の外表面と接触し、前記管本体（１１）の中心線に対して適切に傾いたホイール（１３′）および（１４′）を含む機構、
からなる群から選択された１種の機構により構成され、
当該機構により、前記管本体（１１）は、その中心線に沿って回転しながら進む運動をなすことを特徴とする請求項１に記載のペイントローラの製造方法。
【発明の詳細な説明】
【０００１】
【発明の属する技術分野】
本願発明は、ペイントローラの製造方法に関するもである。
【０００２】
【従来の技術】
本出願人は特許もしくは実用新案のいくつかが存在することを知っており、これらは、ビアンカマリア（Ｂｉａｎｃａｍａｒｉａ）、アルバレツガルシア（Ａｌｖａｒｅｚ−Ｇａｒｃｉａ）、ニュウエル（Ｎｅｗｅｌｌ）、およびゼカート（Ｓｅｋａｒｔ）による出願に対するものである。
【０００３】
ニュウエルとゼカートの出願に対する特許は全く同じものであり、それらは管の製造にポリプロピレンの細長い布を用い、その工程が連続的なものである。
【０００４】
ビアンカマリアの出願に対する特許は、引き抜き鋼鈑を備えた押出し機によって一直線に作られた管を用い、その管をそれが押出されるのに伴ってその中心軸に関して回転させ、結果として、回転しながら進む運動を伴う動きをするようにし、連続的な工程となるものである。
【０００５】
アルバレツガルシアの出願に対する特許は、予め押出された管を用いたものであり、連続工程をするようにはされていない。
【０００６】
本発明は、予め押出された管が用いられても工程が連続的であるという事実によって特徴付けられるものである。この事実は、上記特許の場合とは異なり管がマンドレルにセットされないことによって可能となる。上記特許では、上記ニュウエルとゼカートの特許のようにポリプロピレンの細い布を用い、マンドレルが“型“として使用されることにより上記の細い布の形状を適切に作ってそれが冷やされながら順次巻かれて行くことを可能としている。
【０００７】
アルバレツガルシアの出願に対する特許では、マンドレルは管を支持するように用いられて管の回転を生じさせる。また、上記特許には述べられていないが、マンドレルは管が加熱段階にある間、その形状を損なうことなくその内部の冷却装置の作用によって堅いままでいることを可能としている。
【０００８】
ビアンカマリアの出願に対する特許では、マンドレルは管を支持するように用いられて回転しながら進む運動の円周方向成分を生じさせ、また、管を冷却させるかあるいはどちらかといえば固体化するよう使用される。
【０００９】
ビアンカマリアの出願に対する特許は、現在権利が消滅して公共のものであり、これは熱を用いて生地を取り付けるものであり、ニュウエルやアルバレツガルシアの特許と同じである。一方、ゼカートの出願に対する特許は溶かしたポリプロピレンを用いる。
【００１０】
【発明が解決しようとする課題】
本発明は、柔らかい毛の生地で覆われたポリオレフィンのコアで構成されたペイントローラの製造手順に関連するものであり、その目的は、加熱がなされて生地が巻かれない間は、管が金属のマンドレルにセットされないということにおいて見いだされるものであり、管本体が熱源と生地を巻くための機構を通りながら、ペイントローラーが連続的に生産されるようにすることにある。
【００１１】
管本体は機械の一端側から他端側に送られ、この管本体に対して、生地を連続的に巻き付けるようにする。
【００１２】
要するに、本発明は、管本体それ自体が、加熱段階および生地を巻く段階では直接金属のマンドレルにセットされず、しかも、連続的に送られるようにする。それによって、管本体を、加熱する工程と、加熱された管本体に生地を巻くための工程に、連続的に通すことが可能となる。これにより、管本体を次々と移動させて、生地の帯が、生地を管本体に巻き付ける工程で中断することなく、一つの管本体から他の管本体へ移ることができる。
【００１３】
本発明は、生地で覆われる管本体が、その移動中に取りつけられ、また同時に、回転してその中心軸に沿って回転しながら進む運動を行うようにすることを必要とする。
【００１４】
本発明は、覆っている生地をその寸法が切断範囲を越えたときは切断することができる要素を備え、これによって、生地に覆われた管本体が、次の手動もしくは機械的な取外し工程を続け、また、その長さ方向の移動を続けると同時に中心軸に関した回転をこの切断のときまで行うことができる。この運動は回転しながら進む運動を生じさせ、生地を覆うことを容易にするものである。
【００１５】
【課題を解決するための手段】
本願の請求項１に係る発明は、柔らかい毛の生地で覆われたポリオレフィンコアで構成されるペイントローラの製造方法において、同じ長さのポリオレフィンで形成された複数の管本体（１１）を、ペイントローラを製造する機械（３０）によって、柔らかい毛の生地で覆うものであり、この機械（３０）は、一端側から他端側にむけて、動作機構（３）、熱源（４）、生地を巻くための機構（５）、作動機構（１）の順にこれらの各機構を備えると共に、管本体（１１）は、マンドレルによって支持することなく、前記管本体（１１）の外周に生地のカバーがらせん状に巻かれるのであり、前記機械（３０）の一端部には前記動作機構（３）が配されて前記管本体（１１）についてその中心線に沿った長さ方向の移動と回転運動を生じさせることにより当該管本体（１１）は回転しながら進む運動を行ない、前記管本体（１１）の上記運動中に、前記機械（３０）は、固定された熱源（４）によって、前記マンドレルによって支持されていない前記管本体（１１）の表面を柔らかくするとともに、前記生地を巻くための機構（５）により、その外側が柔らかくなった前記管本体（１１）に生地のカバーをらせん状に巻くようにし、前記管本体（１１）は、前記機械（３０）の動作機構（３）が配置される端と反対側の端に配される前記作動機構（１）によって次々と動かされ、前記機械（３０）は、斜めにカバーされた生地を、切断機構（２）により、隣接する２つの管本体の間で切断することを特徴とするペイントローラの製造方法を提供する。
【００１６】
本願の請求項２に係る発明は、前記機械（３０）が複数の管本体（１１）を外側で支持する手段を含み、前記作動機構（１）は、前記管本体（１１）の長さの終りの部分が前記動作機構（３）によって作動される前にその作動を始めるものであり、前記管本体（１１）は、前記作動機構（１）によって隣接する２つの管本体の間に空間を置いた状態で次々と動かされるものであることを特徴とする請求項１に記載のペイントローラの製造方法を提供する。
【００１７】
本願の請求項３に係る発明は、前記管本体（１１）は、当該管本体（１１）が通って動く２つの傾斜した要素によってまたは空洞の円筒として構成されるサポート（６）を用いていくつかの位置で保持され、前記作動機構（１）は、つめ（１０）を含んでそれらが前記管本体（１１）の外側にはまること、またはつめ（１２）を含んでそれらが前記管本体（１１）の内側にはまることが可能であり、且つ、前記管本体（１１）が前記動作装置（３）と接触しなくなる前に、前記作動機構（１）は既に前記管本体（１１）の開始端に接触し、前記つめ（１０）（１２）はそれらの軸の周りに回転して前記管本体（１１）のその中心線に沿って回転しながら進む運動を行うことにより、前記管本体（１１）を回転させながら引っ張るものであることを特徴とする請求項１又は２記載のペイントローラの製造方法を提供する。
【００１８】
本願の請求項４に係る発明は、前記作動機構（１）が、つめ（１０）を含んでそれらが前記管の外側にはまること、またはつめ（１２）を含んでそれらが前記管本体（１１）の内側にはまることが可能であり、前記つめはそれらの軸の周りに回転するものである機構、自身の軸に関して回転する円周本体（１４）と、その内側に配される作動ホイール（１３）とによって構成され、当該作動ホイール（１３）は前記管本体（１１）の外表面と接触して回転するものである機構、前記管本体（１１）の外表面と接触し、前記管本体（１１）の中心線に対して適切に傾いたホイール（１３′）および（１４′）を含む機構、からなる群から選択された１種の機構により構成され、当該機構により、前記管本体（１１）は、その中心線に沿って回転しながら進む運動をなすことを特徴とする請求項１に記載のペイントローラの製造方法を提供する。
【００１９】
本願の請求項５に係る発明は、前記動作機構（３）が、つめ（１０）を含んでそれらが前記管の外側にはまること、またはつめ（１２）を含んでそれらが前記管本体（１１）の内側にはまることが可能であり、前記つめはそれらの軸の周りに回転するものである機構、自身の軸に関して回転する円周本体（１４）と、その内側に配される作動ホイール（１３）とによって構成され、当該作動ホイール（１３）は前記管本体（１１）の外表面と接触して回転するものである機構、前記管本体（１１）の外表面と接触し、前記管本体（１１）の中心線に対して適切に傾いたホイール（１３′）および（１４′）を含む機構、からなる群から選択された１種の機構により構成され、当該機構により、前記管本体（１１）は、その中心線に沿って回転しながら進む運動をなすことを特徴とする請求項１に記載のペイントローラの製造方法を提供する。
【００２０】
【発明の実施の形態】
図１に従うと、作動機構（１）および動作機構（３）がどのようにして管本体がその中心線に沿って回転しながら進む運動を生じさせるかがわかる。作動機構（１）は、機械のフレームに固定され、また、管本体の移動方向において切断装置（２）に続く位置に配置される必要がある。
【００２１】
動作機構（３）は生地を巻くための機構（５）より前に配置され、また、機械のフレームに固定される。作動機構（１）および動作機構（３）は、１つの管本体の長さより大きな間隔をおいて配され、また、管本体は、その全長が同じ工程を通る必要がある。
【００２２】
管本体（１）が回転しながら移動する運動は、作動機構（１）および動作機構（３）によって可能となり、この運動によって生地の帯を管本体（１）に最適に巻くようにし、これにより、連続する帯のらせんの端がそれぞれその次のらせんと互いに重なることなく接することが可能となる。
【００２３】
図２に、作動機構（１）および動作機構（３）の実施可能な例を示す。作動機構（１）および動作機構（３）は、つめ（１０）を備え、このつめは管本体（１１）をその開始端または終了端で保持する。これにより、管本体（１１）をその軸に関して回転させることができ、この回転の円周方向成分が、管本体の回転しながら進む運動を決定するものとなる。管本体（１１）は、外側の所々で支持されるようにし、これによって管本体（１１）が連続的に送られることを可能とする。
【００２４】
これらのつめ（１０）は、適宜の機構によって作動するフィンガを備えて、それぞれ作動機構（１）に到達する管本体と、動作機構（３）によって押出される管本体との双方を保持することが可能であり、また、これらのつめの軸に関して回転できるようベース（３３）に取り付けられる。
【００２５】
これらのつめ（１０）は、機械フレームに取り付けられたガイド（２０）上を、移動する。これが、管本体（１１）の軸方向への移動成分となる。
【００２６】
ガイド（２０）は、工程が停止することなく連続的に行なわれることを可能にする程度の長さが必要であり、また、この機構は、作動機構（１）のつめ（１０）を用いる場合は管本体を引っ張り、また、動作機構（３）のそれを用いる場合は管本体を押出すことになる。
【００２７】
図３には、作動機構（１）および動作機構（３）の他の実施形態が示される。これは図２に示したものと同一の機能を発揮するものであり、図２の例と唯一異なる点は、つめ（１２）が管本体をその内側で保持することにある。
【００２８】
図２および３に示される機構は、それらが管本体（１１）の端に対して向き合って配置される場合個別に作動する。
【００２９】
図４に、作動機構（１）および動作機構（３）に関する他の実施形態が示される。ここでは、管本体（１１）は、図示されるように作動ホイール（１３）および円周本体（１４）によって動作する。作動ホイール（１３）は、円周本体（１４）の内部に、その領域に対して９０°の角度で配置される必要がある。結果として、円周本体（１４）内部にある４つの作動ホイール（１３）は、管本体の外側と接触して回転し管本体を移動させるよう構成される。一方、円周本体（１４）は、４つの作動ホイール（１３）を、その内部領域に配置する。作動ホイール（１３）は、ホイール位置決め要素を構成するガイドサポート（３２）によって支持され、円周本体（１４）内に組み入れるものである。この円周本体（１４）は、それ自身の軸に関して回転し、ガイドサポート（１５）によって支持される管本体（１１）の回転を受け持つよう構成される。
【００３０】
図５は作動機構（１）および動作機構（３）の他の実施形態を示す。ここでは、２つのホイール（１３′）および（１４′）は、機械のフレームにガイドサポート（１５′）によって取り付けられるものであり、管本体（１１）の中心線に対して適切に傾き、管本体（１１）の動きを生じさせる方向に回転する。
【００３１】
再び図１によれば、熱源（４）が存在することがわかる。これは管本体（１１）を構成する同じポリオレフィンの押し出し装置によって代用することができるものである。
【００３２】
切断装置（２）は、生地を巻くための機構（５）に続いて配置される。この切断装置（２）では、生地で覆われた管が、管本体（１１）の本来の長さで適切に切断されるが、その切断部分は生地で覆われるべく順次に移動する管本体（１１）の終わりと管本体（１１）の始めが一致する部分である。
【００３３】
切断装置（２）は機械のフレームに取り付けられるものであり、生地を巻くための機構（５）の後であって、且つ、作動機構（１）の前に配置される。
【００３４】
この配置は、切断装置（２）が管本体の移動方向において作動機構（１）の前に配置される場合は個々に行なうことができる。
【００３５】
前述したように、本発明は生地を巻くための機構（５）を備え、これにより生地を管本体（１１）の外側に巻く。この巻き付けは、管本体（１１）のその中心線に沿って回転しながら進む運動に従って行われる。この機構は論理的に管本体（１１）が移動する方向において熱生成要素、即ち熱源（４）または同様の機構より後に配置される必要がある。
【００３６】
図１中の符号（６）は、機械のフレームに取り付けられたガイドを示す。
【００３７】
図６はこのガイドを含んだ支持機構（６）の正面図を示し、この機構は、図６（Ａ）に示すように、それらの上を管本体（１１）が動く２つの傾斜した要素、もしくは、図６（Ｂ）に示すように、その中を通って管本体（１１）が同様に動く空洞の円筒の形態として構成することができる。
【００３８】
図１はまた、機械（３０）に入って行く管本体（１１）を示しており、管本体は動作機構（３）が配置される側を通って入る。また、管本体は手で持ってあるいは自動的に機械に入れられる。
【００３９】
管本体（１１）の動作を生じさせてその動作を開始させる動作機構（３）によって、管本体（１１）は回転しながら進む運動でその長さ方向に移動する。そして、管本体（１１）は、熱を発生するのに用いられる熱源（４）もしくは同じ目的で用いられる装置をすぎて移動し、続いて生地を巻くための機構（５）の働きによって生地で覆うための巻き取りを行なう。この動作は管本体（１１）全体にわたって、管本体が動作装置（３）との接触がなくなるまで行なわれる。管本体（１１）が装置（３）と接触しなくなる前に作動機構（１）は既に管本体（１１）の開始端に接触することが必要であり、その結果、管本体に対するカバーを続けることができる。即ち、作動機構（１）によって、管本体（１１）が回転しながら進む動作を行い、この動作によって管本体（１１）に生地が適切に巻き取られる。
【００４０】
続いて、第２の管本体（１１）が第１の管本体（１１）に続く工程に通され、それら第１の管本体（１１）と第２の管本体（１１）との間隔をきわめて小さくすることができ、これにより、巻く動作が熱源（４）および生地を巻くための機構（５）の作動によって中断することがなく、連続した工程を実現する。
【００４１】
切断装置（２）は第１の管本体（１１）が既に完全に生地によってカバーされたとき、すなわち巻かれたときであって、且つ、２つの管本体（１１）の端と端の間の空間がちょうど切断装置（２）の前に位置したときに作動する。
【００４２】
切断動作の後、作動機構（１）はその動作を停止し管本体（１１）は工程から抜け出る。
【００４３】
上記作動機構（１）は、第２の管本体が動作機構（３）と接触しなくなる前にはその管本体（１１）の回転しながら進む運動を妨げないようにすることを保証し、これによって連続した工程をもたらす。
【００４４】
その後、生地で覆われた管本体に対して、必要なペイントローラ本体の長さに従って適切な切断操作が行なわれる。
【００４５】
本発明に関する特許請求の範囲は、発明の実施の形態及び図面の記載に、限定して理解されるべきではない。
【００４６】
【発明の効果】
本願発明は、柔らかい毛の生地で覆われたポリオレフィンコアで構成されるペイントローラの製造方法において、ポリオレフィンで形成された管本体を加熱して生地を巻き付けるものであるが、その加熱の際、どのようなタイプのマンドレルをも用いないことが特徴であり、このどのようなタイプのマンドレルをも用いないという特徴が創造的なものである。これは、工程を連続的なものとして製造能力を増すことを可能とする。また、どのようなタイプのマンドレルをも用いないことによって、加熱がその工程においてより強く行われることによって可能となる。換言すれば、加熱がマンドレルによって支持されていない管本体に対して行われるということは、類型のない冷却手段を提供することを意味するものである。
【図面の簡単な説明】
【図１】本願発明に係るペイントローラの製造方法に関する簡略図である。
【図２】管本体のその中心線に沿った動作生じさせる機構の可能な一実施形態を示す図である。
【図３】図２に示す装置の第２の実施形態を示す図である。
【図４】図２に示されるものの第３の実施形態を示す正面図および側面図である。
【図５】図２、図３および図４に示すものの第４の実施形態を示す図である。
【図６】機械フレームに取り付けられるガイドの可能な２つの実施形態を示す図である。
【符号の説明】
（１）  作動機構
（２）  切断機構
（３）  動作機構（３）
（４）  熱源
（５）  生地を巻くための機構
（６）  サポート
（１０）つめ
（１１）管本体
（１２）つめ
（１４）円周本体
（１３）作動ホイール
（１３′）ホイール
（１４′）ホイール
（３０）ペイントローラを製造する機械
【図１】
0003811456.tif 000002
【図２】
0003811456.tif 000003
【図３】
0003811456.tif 000004
【図４】
0003811456.tif 000005
【図５】
0003811456.tif 000006
【図６】
0003811456.tif 000007